(57)【要約】【課題】釣り人の感に頼ることなく、釣り針の向きを定めて幹糸に取り付けることが可能な枝素を提供することを目的とする。【解決手段】本発明に係る枝素１は、釣り糸２の一端側に釣り針５を取り付け、釣り糸２の他端側に釣り糸を挟持するシート部材８を取り付けたことを特徴とする。【選択図】図１
2009131163.tif 000002
【特許請求の範囲】
【請求項１】
釣り糸の一端側に釣り針を取り付け、前記釣り糸の他端側に前記釣り糸を挟持するシート部材を取り付けたことを特徴とする枝素。
【請求項２】
前記釣り針は、前記シート部材の挟持方向と、交差する方向に湾曲部が方向付けされて取り付けられていることを特徴とする請求項１に記載の枝素。
【請求項３】
前記シート部材は、前記釣り糸に形成された膨出部を覆うように取着されていることを特徴とする請求項１又は２に記載の枝素。
【発明の詳細な説明】
【技術分野】
【０００１】
本発明は、魚釣りに用いられる仕掛けに関し、詳細には幹糸や道糸に対して装着され、先端に釣り針を有する枝素に関する。
【背景技術】
【０００２】
船釣り等に用いられる仕掛けのひとつとして、幹糸や道糸（以下、幹糸と総称する）に沿って、適当な間隔をもって止着される釣り針付きの糸（枝素）がある。通常、枝素は、幹糸に直接連結されて取り付けられる他、枝素が容易に交換できるように、幹糸に、取付環やハリス挟持具（自動ハリス止め）を有する枝素取付部を設けることがある。
【０００３】
上記した枝素は、幹糸に対して取り付ける際、枝素の先端に設けられている釣り針の向きが釣果に影響を及ぼすことがある。しかし、枝素を指で摘んで幹糸や枝素取付部に取り付けようとすると、枝素に取り付けた釣り針の向きが定まらず、狙った方向に釣り針が向くように取り付けるには熟練が必要であった。従来は、枝素に取り付けた釣り針の向きを定めて幹糸に取り付けられるようにしたものが無く、枝素の幹糸に対する取り付けは釣り人の感に頼っているのが実情である。
【０００４】
なお、特許文献１には、釣り糸の両側に沿って平面部を形成したハリスが開示されており、このハリスの先端に釣り針を止着することで、ハリスの平面部と釣り針の向きについて関連付けることは可能と考えられる。
【特許文献１】特開２００３−２３９３７号
【発明の開示】
【発明が解決しようとする課題】
【０００５】
上記したハリスは、幹糸、特に幹糸に装着された枝素取付部のハリス挟持具（以下、挟持具とする）に対して取り付ける際、平面部によって周方向に動き難く取り付けることはできるが、通常、釣り糸は細くなると指で摘んでも平面部を感じて取り付けることは難しいため、このようなハリスでは、平面部に基づいて釣り針の方向を定めて取り付けることは困難である。
【０００６】
本発明は、上記した問題に着目してなされたものであり、釣り人の感に頼ることなく、釣り針の向きを定めて幹糸に取り付けることが可能な枝素を提供することを目的とする。
【課題を解決するための手段】
【０００７】
上記した目的を達成するために、本発明に係る枝素は、釣り糸の一端側に釣り針を取り付け、前記釣り糸の他端側に前記釣り糸を挟持するシート部材を取り付けたことを特徴とする。
【０００８】
上記した構成の枝素では、幹糸に設けられた挟持具に装着する際、シート部材を摘んで枝素の釣り糸を挟持具に挟持させる。シート部材は、釣り糸に対して扁平状に取り付けられているため摘み易く、また、シート部材の扁平部は、指先の感覚で容易に探すことができ、扁平部を腹部で摘むことで、釣り針の方向を定めながら釣り糸を挟持具に挟持させることが容易に行える。
【発明の効果】
【０００９】
本発明によれば、釣り人の感に頼ることなく、釣り針の向きを定めて幹糸に取り付けることが可能な枝素が得られる。
【発明を実施するための最良の形態】
【００１０】
以下、図面を参照しながら本発明に係る枝素の一実施形態について説明する。
【００１１】
図１から図４は、本発明に係る枝素の一実施形態を示す図であり、図１は、側面方向から見た枝素の全体図及びシート部材を取り付けた部分の拡大図、図２は、上方から見た枝素の全体図及びシート部材を取り付けた部分の拡大図、図３は、シート部材を釣り糸に取り付けるところを説明する図、そして、図４は、シート部材の拡大断面図である。
【００１２】
本実施形態に係る枝素１は、釣り糸（ハリス）２の一端側に釣り針５を備え、他端側に膨出部（釣り糸２に対して径方向外方に膨出する部分であり、コブとも称する）７が設けられている。
【００１３】
前記釣り針５は、公知のように、軸部５ａと連続して形成される湾曲部（ふところ）５ｂ、針先部５ｃ（返しが形成されていても良い）、及び釣り糸２が締結される取付部５ｄを備えており、釣り糸２と取付部５ｄとは公知の方法によって締結されている。この場合、軸部５ａの基端部である点Ｐ１、湾曲部５ｂの中間部である点Ｐ２、針先部５ｃの略先端である点Ｐ３で形成される面を、釣り針５の方向（湾曲部の方向）Ｄを規定する面と定義する。
【００１４】
前記膨出部７は、釣り糸２を玉結びなどで結んで作成された結びコブで形成されており、釣り糸２よりも太い状態となっている。この膨出部７は、後述する仕掛けを構成する枝素取付部に取り付けたときの枝素の抜け止めとしての機能を有する。なお、このような膨出部７については、釣り糸２に設けない構成であっても良い。
【００１５】
そして、前記膨出部７を覆うようにして一対の挟持部８ａを具備したシート部材８が、釣り糸２を挟むようにして取着されている。このシート部材８は、可撓性を有しており、内側に粘着剤を塗布した１枚の合成樹脂シート（テープ）を２つ折にして粘着剤を塗布した面を挟持部８ａとしたものであり、前記膨出部７上において釣り糸２を挟むようにして挟持部８ａ同士を貼着することで釣り糸２に取着されている。
【００１６】
上記したように、合成樹脂シートによって構成される前記シート部材８は、釣り糸２に沿って長手方向に延びた状態で取り付けられており、両方の外側面は、釣り糸２を挟んで対向する扁平状の摘み部８ｂを構成している。
【００１７】
前記シート部材８を取着する際には、挟持部８ａ及び摘み部８ｂは、釣り針５の軸部５ａと針先部５ｃと湾曲部５ｂで形成される面（前記点Ｐ１〜Ｐ３で形成される面）と、略同じ方向になるように設定される。したがって、釣り針５は、シート部材８の一対の挟持部８ａ（摘み部８ｂ）の対向する方向Ｄ１と交差する方向に湾曲部５ｂが方向付けされて釣り糸２に取り付けられている（湾曲部の方向をＤで示す）。
【００１８】
上記した構成の枝素によれば、図１、図２及び図４に示すように、シート部材８の外面である一対の摘み部８ｂを指（親指Ｔ１と人差し指Ｔ２）で摘み易くなり、枝素の釣り糸２を確実に摘むことができる。この場合、釣り糸２を挟持したシート部材８の摘み部８ｂは、膨出部の形状に沿って外側に膨出していることから、指先の感覚で膨出部７の上を摘んだ指（人差し指と親指）の夫々の腹部を、夫々の扁平な摘み部８ｂに当てて持つことで持ち易くなり、さらには、摘み部８ｂの方向で釣り針５の方向を定めることができるため、枝素１を、図５に示すような仕掛け１０に対してより容易に装着できるようになる。
【００１９】
図５に示す仕掛け１０は、幹糸１２と、幹糸１２の先端に取り付けられた錘１３と、幹糸１２に沿って所定の間隔で取り付けられた枝素取付部１５とを備えている。前記枝素取付部１５は、幹糸１２に対し、幹糸１２が挿通された状態で移動が規制されるように取り付けられるビーズ１５ａと、ビーズ１５ａに一体形成され、枝素１を止着する挟持具（自動ハリス止め）１５ｂとを備えている。
【００２０】
実際に、上記したように構成される枝素１を仕掛け１０に装着する場合、枝素１の他端側（シート部材８側）の釣り糸２を挟持具１５ｂの孔１５ｃに挿通した後、シート部材８の摘み部８ｂの部分を摘まみ、その摘み部８ｂの位置で釣り針５の方向を合わせる（図５に示すタイプの仕掛けでは、釣り針の針先部５ｃが上方を向くように取り付ける）。次に、位置合わせされた釣り針５を他方の手の指で摘み、矢印方向に引いて釣り糸２のシート部材８近傍を、挟持具１５ｂで挟持することで枝素１は、仕掛け１０に対して装着することができる。
【００２１】
これによって、幹糸１２に取り付けた枝素１の釣り針５を、釣り人の意図した方向に容易に取り付けることが可能となる。特に、本実施形態では、釣り針５が一対の摘み部８ｂの対向する方向Ｄ１と交差する方向に湾曲部５ｂが方向付けされて取り付けられているため、摘んだ指（親指Ｔ１と人差し指Ｔ２）の対向方向と交差する方向に釣り針５の湾曲部５ｂが向くようになり、単に、摘まんだシート部材８の方向をもとにして釣り針の針先部５ｃの上向きと下向きを確認するだけで、釣り針が意図した方向を向いて幹糸に対して取り付けることが可能となる。
【００２２】
図５では、挟持具１５ｂの上下方向の孔１５ｃに枝素１の他端側（シート部材８側）を上方から通し、釣り針５側が挟持具１５ｂから上方に向けて突出するように配し、次に摘み部８ｂに親指Ｔ１と人差し指Ｔ２を夫々当てて摘むことで摘み部８ｂの対向する方向と交差するように方向付けされた釣り針５をその針先部５ｃが上方を向くように方向を合わせて挟持具１５ｂに釣り糸２を挟持している。
【００２３】
そして、図６に示すように、仕掛けに枝素１を取り付けた後、釣り針側を押さえながら挟持部８ａの挟持力（挟持部の粘着力）に抗してシート部材８を釣り糸方向（矢印方向）に沿って引き抜くことでシート部材８を取り外すことができる。この場合、シート部材８を取り外した後の膨出部７は、挟持具１５ｂに取り付けた枝素１の抜け止めとしての効果を有する。
【００２４】
なお、上記した構成では、シート部材８は、透光性を有する材料で形成されていることが好ましい。このように、シート部材８を透光性のある材料で形成することで、挟持した釣り糸２や膨出部７の位置を容易に確認することができ、シート部材８の上からシート部材と共に釣り糸２や膨出部７を容易に摘むことができる。
【００２５】
以上、本発明の実施形態について説明したが、本発明は、上記した実施形態に限定されることはなく、種々変形して実施することが可能である。
【００２６】
上記した実施形態では、シート部材８は、内側に粘着剤を塗布した１枚の合成樹脂シート（テープ）を２つ折りにしたが、例えば、図７に示すように、一対（２枚）のシート部材８Ａを用い、これらを釣り糸２に対して挟持するように重合して貼着しても良い。
【００２７】
また、枝素の釣り糸２は、膨出部（コブ）７を覆って取り付ける以外にも、図８に示すように、膨出部７より釣り糸の端部（他端）側に取り付けても良い。シート部材８をこのように取り付けると、最終的にシート部材８の引き抜きが容易に行えるようになる。
【００２８】
また、釣り人が仕掛けを自由に作成できるように、枝素の釣り糸２は、上記した膨出部（コブ）７を具備しない構成であっても良い。この場合も、シート部材８を、釣り糸２を挟んで取り付けるだけとなるため、シート部材８の釣り糸２からの取り外しが容易に行えるようになる。
【００２９】
さらに、シート部材８については、釣り針５の湾曲部の方向と交差する方向以外の方向に配する構成であっても良く、釣りの状況に応じて釣り針の湾曲方向を設定することができる。
【図面の簡単な説明】
【００３０】
【図１】本発明に係る枝素の一実施形態を示す図であり、側面方向から見た枝素の全体図及びシート部材を取り付けた部分の拡大図。
【図２】上方から見た枝素の全体図及びシート部材を取り付けた部分の拡大図。
【図３】シート部材を釣り糸に取り付けるところを説明する図。
【図４】シート部材の拡大断面図。
【図５】仕掛けに枝素を取り付ける状態を説明する図。
【図６】仕掛けに取り付けた枝素からシート部材を取り外すところを説明する図。
【図７】本発明に係る枝素の第１の変形例を示すシート部材の拡大断面図。
【図８】本発明に係る枝素の第２変形例を示す図。
【図９】本発明に係る枝素の第３変形例を示す図。
【符号の説明】
【００３１】
１  枝素
２  釣り糸
５  釣り針
５ａ  軸部
５ｂ  湾曲部
５ｃ  針先部
７  膨出部（コブ）
８  シート部材
８ａ  挟持部
８ｂ  摘み部
１０  仕掛け
１２  幹糸
１５  枝素取付部
１５ａ  ビーズ
１５ｂ  挟持具
【図１】
2009131163.tif 000003
【図２】
2009131163.tif 000004
【図３】
2009131163.tif 000005
【図４】
2009131163.tif 000006
【図５】
2009131163.tif 000007
【図６】
2009131163.tif 000008
【図７】
2009131163.tif 000009
【図８】
2009131163.tif 000010
【図９】
2009131163.tif 000011